(57)【要約】【課題】部品コストの上昇を招くことなく、配線工事が容易でしかも誤接続のおそれの少ない太陽光発電システムを提供する。【解決手段】複数の太陽電池ストリング２とパワーコンディショナ４の接続に屋外設置型の接続箱３を用いる。接続箱３には、太陽電池ストリング２の数に応じて複数の正極入力端子７ａと負極入力端子７ｂを設ける一方、上記各正極入力端子７ａに対応する複数の正極出力端子８ａとこれら正極出力端子に共通の１の負極出力端子８ｂを設ける。そして、各正極出力端子８ａを多芯ケーブル１５を用いてパワーコンディショナ４に接続するとともに、負極出力端子８ｂを単芯ケーブル１６を用いてパワーコンディショナに接続する。【選択図】図１
2013012629.tif 000002
【特許請求の範囲】
【請求項１】
複数の太陽電池ストリングと、前記太陽電池ストリングが接続される接続箱と、前記接続箱から供給される直流電力を交流電力に変換するパワーコンディショナとで構成される太陽光発電システムであって、
前記接続箱は、屋外設置型として構成され、前記各太陽電池ストリングを接続する入力端子部と、前記パワーコンディショナを接続する出力端子部とを備えており、
前記入力端子部は、太陽電池ストリングの数に応じて複数の正極入力端子と負極入力端子とを備えるとともに、
前記出力端子部は、前記各正極入力端子に対応する複数の正極出力端子と、これら正極出力端子に共通の１の負極出力端子とを備えている
ことを特徴とする太陽光発電システム。
【請求項２】
前記接続箱は、前記太陽電池ストリングごとに開閉器を有しており、各開閉器の正極出力がそれぞれ対応する前記接続箱の正極出力端子に接続されるとともに、その負極出力が前記接続箱の負極出力端子に接続されていることを特徴とする請求項１に記載の太陽光発電システム。
【請求項３】
前記パワーコンディショナは、屋内設置型として構成されており、前記接続箱と接続される入力端子部として、複数の正極入力端子と１の負極入力端子とを備えるとともに、
前記パワーコンディショナの正極入力端子の数に応じて複数の昇圧用のコンバータと、これら複数の昇圧用のコンバータで昇圧された直流電力を所望の交流電力に変換する１のインバータを備えてなり、
前記各コンバータの正極入力部にはそれぞれ対応する前記パワーコンディショナの正極入力端子が接続されるとともに、前記各コンバータの負極入力部には前記パワーコンディショナの負極入力端子が接続されている
ことを特徴とする請求項１または２に記載の太陽光発電システム。
【請求項４】
前記接続箱と前記パワーコンディショナの接続に多芯ケーブルが用いられ、少なくとも、前記接続箱の正極出力端子と前記パワーコンディショナの正極入力端子とが前記多芯ケーブルの各芯線によって一対一で結線されていることを特徴とする請求項３に記載の太陽光発電システム。
【発明の詳細な説明】
【技術分野】
【０００１】
この発明は太陽光発電システムに関し、より詳細には、複数の太陽電池ストリングを有する太陽光発電システムに関する。
【背景技術】
【０００２】
住宅用の太陽光発電システムは、周知のごとく、複数の発電素子(セル)を直列接続してなる太陽電池モジュールを直列および／または並列に接続してグループ化した太陽電池ストリングで得られる直流電力をパワーコンディショナに供給することによって系統に連系可能な交流電力を生成している（たとえば、特許文献１参照）。
【０００３】
図２は、このような太陽光発電システムの構成例を示している。図２（ａ）は、パワーコンディショナａを屋外に設置するタイプの太陽光発電システムを示しており、また、図２（ｂ）はパワーコンディショナａを屋内に設置するタイプの太陽光発電システムを示している。
【０００４】
より具体的には、図２は、いずれも３回路の太陽電池ストリングｂ１，ｂ２，ｂ３を用いた太陽光発電システムを示しており、各太陽電池ストリングｂ１，ｂ２，ｂ３はそれぞれ３個の太陽電池モジュールｃ１，ｃ２，ｃ３を直列接続することによって構成されている。
【０００５】
また、この図２に示す太陽光発電システムに用いられるパワーコンディショナａは、複数の太陽電池ストリングｂ１〜ｂ３から直流電力の供給を受けられるように複数（図示例では３個）のコンバータｄ（図示例では太陽電池ストリングｂの数に応じてｄ１〜ｄ３）と単一のインバータｅとで構成されており、各コンバータｄ１〜ｄ３で昇圧された直流電力がインバータｅに供給され、このインバータｅによって直流電力が系統（図示せず）に連系可能な交流電力に変換されるようになっている。なお、各コンバータｄ１〜ｄ３はそれぞれ対応する一基の太陽電池ストリングｂと開閉器ｆ（ｆ１〜ｆ３）を介して接続されている。
【先行技術文献】
【特許文献】
【０００６】
【特許文献１】特開２００４−１４８５１号公報
【発明の概要】
【発明が解決しようとする課題】
【０００７】
しかしながら、このような従来の構成には以下のような問題があり、その改善が望まれていた。
【０００８】
すなわち、図２（ａ）に示す太陽光発電システムは、パワーコンディショナａを屋外に設置しているため、パワーコンディショナａの筐体を防水・防塵対策を施した密閉構造（屋外設置型の構造）としなければならず、しかも、周囲温度の変化が大きいことから、筐体内の温度上昇を防ぐために、たとえば、冷却用ファンの設置や大型の放熱器の導入などの温度対策が必要であり、このような温度対策に伴う部品コストの上昇を招くという問題がある。
【０００９】
一方、図２（ｂ）に示す太陽光発電システムは、パワーコンディショナａが屋内に設置されているため、その筐体には非密閉構造（屋内設置型の構造）を採用することができ、しかも、屋外に比して周囲温度の変化も小さいので、図２（ｂ）に示す太陽光発電システムでは温度対策に伴う部品コストの上昇を抑制できる利点がある。しかし、その反面、この図２（ａ）に示す太陽光発電システムでは、屋外から屋内への引き込みケーブルｇの本数が多くなり施工性が悪くなるという問題がある。
【００１０】
すなわち、図２（ｂ）に示すように太陽電池ストリングｂが３回路で構成されている場合、その引き込みケーブルｇは太陽電池ストリングｂごとに正極（プラス）と負極（マイナス）の２本が必要となるため合計６本のケーブル（仮に太陽電池ストリングｂ１〜ｂ３ごとに引き込みケーブルとして２芯ケーブルを用いた場合であっても３本の２芯ケーブル）ｇが必要になり、その配線工事（ケーブルの引き込みや接続作業）が煩雑になるとともに、ケーブルの誤接続を引き起こす原因になっていた。また、図２（ｂ）の構成では、開閉器ｆが屋外にないので、屋内へのケーブルｇの引き込み前に太陽電池ストリングｂをケーブルｇに接続した場合には、その引き込み作業に注意を要するなど施工性の面でも問題があった。
【００１１】
本発明は、このような問題点に鑑みてなされたものであって、その目的とするところは、部品コストの上昇を招くことなく、配線工事が容易でしかも誤接続のおそれの少ない太陽光発電システムを提供することにある。
【課題を解決するための手段】
【００１２】
上記目的を達成するため、本発明の請求項１に記載の太陽光発電システムは、複数の太陽電池ストリングと、上記太陽電池ストリングが接続される接続箱と、上記接続箱から供給される直流電力を交流電力に変換するパワーコンディショナとで構成される太陽光発電システムであって、上記接続箱は、屋外設置型として構成され、上記各太陽電池ストリングを接続する入力端子部と、上記パワーコンディショナを接続する出力端子部とを備えており、上記入力端子部は、太陽電池ストリングの数に応じて複数の正極入力端子と負極入力端子とを備えるとともに、上記出力端子部は、上記各正極入力端子に対応する複数の正極出力端子と、これら正極出力端子に共通の１の負極出力端子とを備えていることを特徴とする。
【００１３】
すなわち、この請求項１に係る太陽光発電システムでは、太陽電池ストリングとパワーコンディショナの間に屋外設置型の接続箱を設けている。そして、この接続箱は、太陽電池ストリングを接続する入力端子部として、太陽電池ストリングの数に応じて複数の正極入力端子と負極入力端子を備えるとともに、パワーコンディショナを接続する出力端子部として、上記入力端子部の正極入力端子に対応する複数の正極出力端子とこれら正極出力端子に共通の１の負極出力端子を備えている。つまり、この接続箱は、各太陽電池ストリングに接続される正極用のケーブル（プラスライン）と負極用のケーブル（マイナスライン）のうち負極用のケーブルを１本のケーブルに集約するように構成されている。そのため、この接続箱を介して太陽電池ストリングとパワーコンディショナを接続することにより、接続箱から屋内（パワーコンディショナ）に引き込む負極用のケーブルは１本ですむことになり、屋内へのケーブルの引き込み作業が容易になるとともに、引き込みケーブルの本数低減によってケーブル誤接続の発生を抑制することができる。
【００１４】
また、本発明の請求項２に記載の太陽光発電システムは、請求項１に係る太陽光発電システムにおいて、上記接続箱は、上記太陽電池ストリングごとに開閉器を有しており、各開閉器の正極出力がそれぞれ対応する上記接続箱の正極出力端子に接続されるとともに、その負極出力が上記接続箱の負極出力端子に接続されていることを特徴とする。
【００１５】
すなわち、この請求項２に係る太陽光発電システムでは、太陽電池ストリングとパワーコンディショナの間に配設される接続箱に太陽電池ストリングごとの開閉器が備えられているので、太陽電池ストリングごとに電気的な接続を解除することができる。そのため、たとえば、接続箱とパワーコンディショナとをケーブル接続する作業時などにおいて、感電のおそれを解消して施工性に優れた太陽光発電システムを提供できる。
【００１６】
また、本発明の請求項３に記載の太陽光発電システムは、請求項１または２に係る太陽光発電システムにおいて、パワーコンディショナは、屋内設置型として構成されており、上記接続箱と接続される入力端子部として、複数の正極入力端子と１の負極入力端子とを備えるとともに、上記パワーコンディショナの正極入力端子の数に応じて複数の昇圧用のコンバータと、これら複数の昇圧用のコンバータで昇圧された直流電力を所望の交流電力に変換する１のインバータを備えてなり、上記各コンバータの正極入力部にはそれぞれ対応する上記パワーコンディショナの正極入力端子が接続されるとともに、上記各コンバータの負極入力部には上記パワーコンディショナの負極入力端子が接続されていることを特徴とする。
【００１７】
すなわち、この請求項３に係る太陽光発電システムでは、パワーコンディショナの入力端子部に複数の正極入力端子と１の負極入力端子が備えられている。そして、この正極入力端子の数に応じて複数の昇圧用のコンバータが備えられており、各コンバータの正極入力部にはそれぞれ対応する正極入力端子が接続されるとともに、上記各コンバータの負極入力部には上記負極入力端子が接続されている。つまり、このパワーコンディショナは、複数のコンバータを備える一方で、各コンバータに接続する負極の入力端子として共通の１の負極入力端子を有していることから、このパワーコンディショナに複数の直流電力を供給するにあたり、負極用のケーブルは１本ですむので、配線作業が容易になるとともに、ケーブルの誤接続の発生を抑制することができる。
【００１８】
また、本発明の請求項４に記載の太陽光発電システムは、請求項３に係る太陽光発電システムにおいて、上記接続箱と上記パワーコンディショナの接続に多芯ケーブルが用いられ、少なくとも、上記接続箱の正極出力端子と上記パワーコンディショナの正極入力端子とが上記多芯ケーブルの各芯線によって一対一で結線されていることを特徴とする。
【００１９】
すなわち、この請求項４に係る太陽光発電システムでは、接続箱とパワーコンディショナの接続にあたり、少なくとも、上記接続箱の正極出力端子と上記パワーコンディショナの正極入力端子とが多芯ケーブルの各芯線によって一対一で結線されていることから、上記接続箱に複数の太陽電池ストリングが接続されている場合であって、接続箱とパワーコンディショナを接続する正極用のケーブルの本数を少なくすることができる。そのため、屋内へのケーブルの引き込み作業がより容易になる。
【発明の効果】
【００２０】
本発明によれば、パワーコンディショナに複数の太陽電池ストリングを接続するために屋外設置型の接続箱を設け、この接続箱によってパワーコンディショナに接続される負極用のケーブルが１本のケーブルに集約されるので、接続箱から屋内に引き込むケーブルの本数を少なくすることができ、ケーブルの引き込み作業が容易になり、ケーブル誤接続も抑制することができる。
【００２１】
また、接続箱に太陽電池ストリングごとの開閉器を備えることにより、ケーブル接続する作業時などにおいて、感電のおそれが少なく施工性に優れた太陽光発電システムを提供できる。
【００２２】
さらに、パワーコンディショナが複数のコンバータを備える一方で、各コンバータに接続する負極の入力端子として共通の１の負極入力端子を有することにより、パワーコンディショナに接続する負極用のケーブルが１本ですむので、配線作業が容易になるとともに、ケーブルの誤接続の発生を抑制することができる。
【００２３】
そして、接続箱とパワーコンディショナの接続にあたり、少なくとも、接続箱の正極出力端子とパワーコンディショナの正極入力端子とが多芯ケーブルの各芯線によって一対一で結線されることにより、接続箱とパワーコンディショナを接続する正極用のケーブルの本数を少なくすることができ、屋内へのケーブルの引き込み作業がより容易になる。
【図面の簡単な説明】
【００２４】
【図１】本発明に係る太陽光発電システムの概略構成の一例を示すシステム構成図である。
【図２】従来の太陽光発電システムの概略構成を示すシステム構成図であって、図２（ａ）は、パワーコンディショナを屋外に設置するタイプの太陽光発電システムを、また、図２（ｂ）は、パワーコンディショナを屋内に設置するタイプの太陽光発電システムをそれぞれ示している。
【発明を実施するための形態】
【００２５】
以下、本発明の実施形態を図面に基づいて詳細に説明する。
図１は、本発明を適用した太陽光発電システムの概略構成を示している。この太陽光発電システム１は、複数の太陽電池ストリング２と、これら太陽電池ストリング２を接続する接続箱３と、接続箱３から供給される直流電力を交流電力に変換するパワーコンディショナ４とを主要部として構成されている。
【００２６】
具体的には、この図１に示す太陽光発電システム１は、太陽電池ストリング２として、３基（３回路）のストリング２ａ，２ｂ，２ｃを接続箱３に接続している。太陽電池ストリング２は、光電現象によって発電を行う複数の発電素子(セル)を直列接続してなる太陽電池モジュール５を直列および／または並列に接続してグループ化したものであって、図示例では、各太陽電池ストリング２は、いずれも３個の太陽電池モジュール５ａ，５ｂ，５ｃを直列接続することによって構成している。
【００２７】
そして、このように太陽電池モジュール５をグループ化してなる各太陽電池ストリング２ａ〜２ｃには、いずれも正極（プラス）と負極（マイナス）が形成され、正極には正極用の出力ケーブル６ａが、また、負極には負極用の出力ケーブル６ｂがそれぞれ接続されている。つまり、図示のように太陽電池ストリング２が３回路設けられている場合、各ストリング２ａ〜２ｃからそれぞれ２本の出力ケーブル６ａ，６ｂが配設され、合計６本の出力ケーブルが配設される。
【００２８】
上記接続箱３は、上述した太陽電池ストリング２ａ〜２ｃとパワーコンディショナ４の間に介在して両者を接続するために用いられるケーブル中継用の装置であって、入力端子部７と、出力端子部８と、開閉器９とを主要部として備えている。
【００２９】
入力端子部７は、太陽電池ストリング２を接続するための端子台で構成されており、接続箱３に接続可能な太陽電池ストリング２の数に応じて（換言すれば、接続可能な太陽電池ストリング２の数と同数の）複数の正極入力端子７ａと負極入力端子７ｂとを備えている。本実施形態では、３基の太陽電池ストリング２ａ〜２ｃが接続箱３に接続されるので、この入力端子部７には、少なくとも３組の正極入力端子７ａと負極入力端子７ｂとが備えられている。
【００３０】
一方、出力端子部８は、パワーコンディショナ４を接続するための端子台で構成されており、この出力端子部８には、上記正極入力端子７ａに対応する数（正極入力端子７ａと同数）の正極出力端子８ａと、これら正極出力端子８ａに共通の１の負極出力端子８ｂとが備えられている。本実施形態では、上記正極入力端子７ａとして３個の入力端子が備えられているので、この出力端子部８には３個の正極出力端子８ａが備えられている。
【００３１】
開閉器９は、太陽電池ストリング２とパワーコンディショナ４との電気的な接続を遮断できるように構成されたスイッチであって、図１に示すように、太陽電池ストリング２ａ〜２ｃごと、より正確には、上記入力端子部７の正極入力端子７ａおよび負極入力端子７ｂの組ごとに備えられている。つまり、本実施形態では、入力端子部７に３組の正極入力端子７ａと負極入力端子７ｂとが備えられているので、開閉器９として３個の開閉器９ａ〜９ｃが備えられている。
【００３２】
具体的には、この開閉器９は、上記入力端子部７と出力端子部８との間に介装されており、それぞれ正極および負極の入力部と正極および負極の出力部とを備えている。そして、その入力部が上記入力端子部７の正極入力端子７ａおよび負極入力端子７ｂに接続される一方、その出力部の正極出力がそれぞれ対応する上記正極出力端子８ａに接続されるとともに、その負極出力が上記負極出力端子８ｂに接続されている。
【００３３】
すなわち、これら各開閉器９ａ〜９ｃの出力部の正極側（プラス側）の出力（正極出力）は、それぞれ一対一で上記出力端子部８の各正極出力端子８ａ，８ａ，８ａと結線される一方、各開閉器９ａ〜９ｃの出力部の負極側（マイナス側）の出力（負極出力）は単一の負極出力端子８ｂに結線されており、接続箱３内において、上記各太陽電池ストリング２ａ〜２ｃからの負極の配線（マイナスライン）が出力端子部８（具体的には、負極出力端子８ｂ）で集約されるように配線接続されている。つまり、太陽電池ストリング２からの正極の配線（プラスライン）は、太陽電池ストリング２ａ〜２ｃごとにそれぞれ出力端子部８の各正極出力端子８ａ，８ａ，８ａに個別に接続される一方、負極の配線のみが負極出力端子８ｂに集約して接続されるように構成されている。
【００３４】
なお、この開閉器９の開閉は、接続箱３に設けられる図示しない操作部において開閉器９ａ〜９ｃごとに手動操作ができるようになっている。
【００３５】
また、この接続箱３は、図１に示すように、屋外に設置されるようになっており、いわゆる屋外設置型としての構造を備えている。すなわち、この接続箱３は、その筐体（図示せず）に対して屋外設置に必要な防水・防塵対策が施された密閉構造（またはそれに近い構造）となっており、屋外に設置した場合でも筐体内に雨水やホコリなどが容易に侵入しない構造とされている。なお、図１には特に示していないが、この接続箱３には上述した開閉器９のほかに避雷器が備えられていてもよい。
【００３６】
パワーコンディショナ４は、上記接続箱３から供給される直流電力を交流電力に変換するインバータ装置であって、上記接続箱３と接続するための入力端子部１０と、接続箱３から供給される直流電力を所望の電圧に昇圧するコンバータ１１と、コンバータ１１で昇圧された直流電力を所望の交流電力に変換するインバータ１２とを主要部として備えている。
【００３７】
入力端子部１０は、上記接続箱３を接続するための端子台で構成されており、複数の正極入力端子１０ａと、１の負極入力端子１０ｂとで構成されている。具体的には、この入力端子部１０に備えられる上記正極入力端子１０ａの数は上記コンバータ１１の数に応じて（コンバータ１１の数と同数に）設定されている。すなわち、本実施形態では、後述するようにパワーコンディショナ４に３基のコンバータ１１ａ〜１１ｃが備えられているので、入力端子部１０には３個の正極入力端子１０ａが備えられている。
【００３８】
コンバータ１１は、上述したように接続箱３から供給される直流電力を昇圧するＤＣ−ＤＣコンバータであって、パワーコンディショナ４には複数のコンバータ１１が備えられている。そして、本実施形態では、上記接続箱３を介してパワーコンディショナ４に３回路の太陽電池ストリング２ａ〜２ｃから直流電力が供給されるようになっているので、これに対応するようにコンバータ１１として３基のコンバータ１１ａ，１１ｂ，１１ｃが備えられている。
【００３９】
これら各コンバータ１１ａ〜１１ｃの正極側の入力部（正極入力部）は、それぞれ対応する上記各正極入力端子１０ａ，１０ａ，１０ａと一対一で接続されるとともに、各コンバータ１１ａ〜１１ｃの負極側の入力部（負極入力部）は、上記負極入力端子１０ｂと接続されている。
【００４０】
インバータ１２は、これら複数のコンバータ１１ａ〜１１ｃで昇圧された直流電力を系統（図示せず）に連系可能な交流電力に変換するＤＣ−ＡＣインバータで構成されている。このインバータ１２は、複数のコンバータ１１ａ〜１１ｃに対して１基だけ備えられており、図１に示すように、各コンバータ１１ａ〜１１ｃの正極出力がインバータ１２の正極入力に接続されるとともに、各コンバータ１１ａ〜１１ｃの負極出力がインバータ１２の負極入力に接続されている。
【００４１】
そして、このパワーコンディショナ４は、図１に示すように、屋内に設置されるようになっており、いわゆる屋内設置型としての構造を備えている。すなわち、このパワーコンディショナ４は、その筐体（図示せず）について屋内設置に十分な程度の防塵対策のみが施されているだけで、接続箱３のような密閉構造とはなっておらず、非密閉構造の筐体とされている。そのため、本実施形態に示す太陽光発電システム１では、パワーコンディショナ４について、密閉構造を採用する場合のような冷却用ファンや大型の放熱器の導入などの部品が不要であり、パワーコンディショナ４の部品コストの上昇が抑制される。なお、このパワーコンディショナ４には、これらコンバータ１１ａ〜１１ｃやインバータ１２のほかにも、これらを制御する制御部や、太陽電池ストリング２ａ〜２ｃでの発電状況などを表示する表示部などの各種電装部品も備えられているが、それらの詳細については図示や説明を省略する。
【００４２】
しかして、このように構成された太陽光発電システム１において、本実施形態では、上記接続箱３とパワーコンディショナ４が以下のようにして接続されている。
【００４３】
すなわち、本実施形態では、上記接続箱３の正極出力端子８ａとパワーコンディショナ４の正極入力端子１０ａとが多芯のケーブルによって接続されている。より具体的には、本実施形態では上記正極出力端子８ａと正極入力端子１０ａはいずれも３個ずつ設けられているので、これらの接続には、少なくとも芯線が３本以上ある（図示例では芯線１５が１５ａ，１５ｂ，１５ｃの３本ある）多芯ケーブル１５が用いられる。
【００４４】
ここで、使用する多芯ケーブル１５としては、各芯線１５ａ，１５ｂ，１５ｃが樹脂などで被覆絶縁されたケーブルが用いられる。そして、好ましくは、各芯線１５ａ，１５ｂ，１５ｃを被覆する樹脂などに異なる色が着色されたものが用いられ、多芯ケーブル１５の各芯線１５ａ，１５ｂ，１５ｃで接続箱３の正極出力端子８ａとパワーコンディショナ４の正極入力端子１０ａとを一対一で対応させて接続する際に、どの端子とどの端子が接続されているのか、換言すれば、各太陽電池ストリング２ａ〜２ｃとパワーコンディショナ４の各コンバータ１１ａ〜１１ｃとの対応関係が容易に確認できるようにしておくのが望ましい。
【００４５】
これに対して、上記接続箱３の負極出力端子８ｂとパワーコンディショナ４の負極入力端子１０ｂは単芯のケーブル１６によって接続される。すなわち、上述したように、本実施形態の太陽光発電システム１では、上記各太陽電池ストリング２ａ〜２ｃのマイナスラインは上記接続箱３で単一の負極出力端子８ｂに集約される一方で、パワーコンディショナ４側は単一の負極入力端子１０ｂが各コンバータ１１ａ〜１１ｃの負極入力部と接続されていることから、接続箱３とパワーコンディショナ４のマイナスラインの接続は接続箱３の負極出力端子８ｂとパワーコンディショナ４の負極入力端子１０ｂとを単芯のケーブルで接続することにより行われる。
【００４６】
このように、本実施形態に示す太陽光発電システム１では、複数の太陽電池ストリング２ａ〜２ｃとパワーコンディショナ４とが屋外設置型の接続箱３を介して接続されるとともに、太陽電池ストリング２ａ〜２ｃのマイナスラインがこの接続箱３によって１つに集約されているので、接続箱３とパワーコンディショナ４とを接続するマイナスラインは単芯ケーブル１６を１本接続するだけですむので屋内へのケーブルの引き込み作業が容易に行える一方、マイナスラインの接続に使用するケーブルの本数が少ないので、マイナスラインについてのケーブルの誤接続の発生を抑制することができる。
【００４７】
しかも、接続箱３とパワーコンディショナ４を接続するプラスラインには太陽電池ストリング２ａ〜２ｃごとに芯線１５ａ〜１５ｃを使い分けた多芯ケーブル１５が用いられているので、プラスラインのケーブルも１本の多芯ケーブル１５だけですみ、屋内へのケーブルの引き込み作業を容易に行うことができる。そして、その際、各芯線１５ａ〜１５ｃを色分けしておくことで、各芯線１５ａ〜１５ｃの誤接続も容易に防止することができる。
【００４８】
また、接続箱３には、太陽電池ストリング２ａ〜２ｃごとに開閉器９が備えられているので、接続箱３とパワーコンディショナ４とをケーブル接続する作業時などにはこの開閉器９で電気的な接続を解除しておくことにより、多芯ケーブル１５の引き込み時などに芯線が触れて感電するおそれを解消することができ、施工性に優れた太陽光発電システムを提供することができる。
【００４９】
なお、上述した実施形態は本発明の好適な実施態様を示すものであって、本発明はこれらに限定されることなく発明の範囲内で種々の設計変更が可能である。
【００５０】
たとえば、上述した実施形態では、接続箱３に太陽電池ストリング２を３回路接続した場合を示したが、接続箱３には少なくとも２回路以上の太陽電池ストリング２が接続されていればよく、たとえば、２回路または４回路以上の太陽電池ストリング２が接続されるように構成されていてもよい。また、各太陽電池ストリング２を構成する太陽電池モジュール５の接続数や接続方法（直列／並列）も適宜設計変更可能であることはもちろんである。
【００５１】
また、上述した実施形態では、接続箱３に接続される太陽電池ストリング２ａ〜２ｃのプラスラインを一本の多芯ケーブル１５で接続した場合を示したが、接続箱３に接続される太陽電池ストリング２の数が多数になる場合には、たとえば、接続箱３の正極出力端子８ａとパワーコンディショナ４の正極入力端子１０ａとを接続する多芯ケーブル１５として２本以上の多芯ケーブルを用いることも可能である。
【００５２】
さらに、上述した実施形態では、接続箱３とパワーコンディショナ４のマイナスラインの接続に単芯のケーブル１６を用いた場合を示したが、プラスラインの接続に使用する多芯ケーブル１５の芯線のうちの一本を用いてマイナスラインの接続を行うように構成することも可能である。ただし、この場合、マイナスラインの接続に使用する芯線には大きな電流が流れてもよい芯線が用いられる。
【符号の説明】
【００５３】
１                      太陽光発電システム
２、２ａ〜２ｃ          太陽電池ストリング
３                      接続箱
４                      パワーコンディショナ
５、５ａ〜５ｃ          太陽電池モジュール
６、６ａ，６ｂ          太陽電池ストリングの出力ケーブル
７                      接続箱の入力端子部
７ａ                    接続箱の正極入力端子
７ｂ                    接続箱の負極入力端子
８                      接続箱の出力端子部
８ａ                    接続箱の正極出力端子
８ｂ                    接続箱の負極出力端子
９、９ａ〜９ｃ          開閉器
１０                    パワーコンディショナの入力端子部
１０ａ                  パワーコンディショナの正極入力端子
１０ｂ                  パワーコンディショナの負極入力端子
１１、１１ａ〜１１ｃ    コンバータ
１２                    インバータ
１５                    多芯ケーブル
１５ａ〜１５ｃ          多芯ケーブルの芯線
１６                    単芯ケーブル
【図１】
2013012629.tif 000003
【図２】
2013012629.tif 000004